(57)【特許請求の範囲】
【請求項１】
映像ストリーム再生装置であって、
画像あるいは音声データをオブジェクト符号化したデータと１以上のシーン記述をオブジェクト符号化したデータを含む映像ストリームをデマルチプレクスする手段と、
前記デマルチプレクス手段に接続され、前記画像あるいは音声データをオブジェクト符号化したデータを復号する手段と、
前記シーン記述から少なくとも一つのシーン記述を選択する選択手段と、
当該映像ストリーム装置とネットワークを介して接続され、前記映像ストリームの視聴情報を管理する情報送受信装置と通信する通信手段とを有し、
前記選択手段で選択されたシーン記述を含む映像ストリームが、再生されるときに前記情報送受信装置と通信が必要である映像ストリームである場合、前記通信手段は前記情報送受信装置と通信して前記選択したシーン記述を用いた再生の可否を確認した後に、前記選択したシーン記述を用いて再生を行うことを特徴とする映像ストリーム再生装置。
【請求項２】
請求項１記載の映像ストリーム再生装置であって、
前記通信が必要な場合とは、前記選択されたシーン記述が選択されたことを前記情報送受信装置でカウントされる場合であることを特徴とする映像ストリーム再生装置。
【請求項３】
請求項１記載の映像ストリーム再生装置であって、
前記通信が必要な場合とは、前記シーン記述が選択された場合に課金が発生する場合であることを特徴とする映像ストリーム再生装置。
【請求項４】
請求項３あるいは４のいずれか記載の映像ストリーム再生装置であって、
当該映像ストリーム再生装置は自装置を特定する識別番号を有し、前記通信手段は該識別番号を前記情報送受信装置へ送信することを特徴とする映像ストリーム再生装置。
【請求項５】
請求項１記載の映像ストリーム再生装置であって、
前記シーン記述には、前記情報送受信装置と通信が必要な第１のシーン記述と前記情報送受信装置と通信が必要でない第２のシーン記述が含まれており、
前記第１のシーン記述はデフォルトのシーン記述であることを特徴とする映像ストリーム再生装置。
【請求項６】
請求項５記載の映像ストリーム再生装置であって、
前記選択手段は、予め定めた規則に従い、前記第１あるいは第２のシーン記述のうちの１つを選択することを特徴とする映像ストリーム再生装置。
【請求項７】
請求項１記載の映像ストリーム再生装置であって、
記憶媒体をさらに有し、
前記映像ストリームは、前記記憶媒体に格納されていることを特徴とする映像ストリーム再生装置。
【請求項８】
請求項１記載の映像ストリーム再生装置であって、
前記通信手段は、前記シーン記述の再生許可要求を前記情報送受信装置に送信し、前記情報送受信装置から再生許可信号を受信した後に、前記選択したシーン記述を用いて再生を行うことを特徴とする映像ストリーム再生装置。
【請求項９】
ネットワークを介して情報送受信装置に接続される映像ストリーム再生装置における映
像ストリームの再生方法であって、
少なくとも１つ以上の画像あるいは音声データをオブジェクト符号化したデータと少なくとも１つ以上のシーンの内容を示すシーン記述をオブジェクト符号化したデータを含む映像ストリームをデマルチプレクスする工程と、
前記情報送受信装置と通信が必要な第１のシーン記述と前記情報送受信装置と通信が必要でない第２のシーン記述のいずれか一つを選択する工程と、
前記第２のシーン記述が選択された場合、前記前記情報送受信装置に再生許可要求を送信する工程と、
前記情報送受信装置から再生許可信号を受信した後に、前記選択したシーン記述を用いて再生を行う工程とを有することを特徴とする映像ストリームの再生方法。
【発明の詳細な説明】
【０００１】
【発明の属する技術分野】
本発明は、動画、音声、テキスト、静止画、シーン記述等を個々にオブジェクト符号化して１つのストリームにできる動画符号化方式のデータを送受信するシステムとデータを復号する装置に関する。
【０００２】
【従来の技術】
現在、動画の符号化方式には多数あるが、最も普及している方式の一つにＩＳＯ／ｌＥＣ  ＪＴＣ１が国際標準化したＭＰＥＧ（Ｍｏｖｉｎｇ  Ｐｉｃｔｕｒｅ  Ｅｘｐｅｒｔｓ  Ｇｒｏｕｐ）がある。現在のところＭＰＥＧにはＭＰＥＧ１、ＭＰＥＧ２の２種類があり、ＭＰＥＧ１は主にＶｉｄｅｏＣＤやインターネット配信等、ＭＰＥＧ２はＤＶＤ  Ｖｉｄｅｏやデジタル衛星放送等で使用されている。これらＭＰＥＧ１、ＭＰＥＧ２の特徴はオーム社刊行の「総合マルチメディア選書ＭＰＥＧテレビジョン学会編」に詳細が記述されている。
【０００３】
そして、さらに次世代の動画符号化方式としてＭＰＥＧ４が現在仕様策定中である。このＭＰＥＧ４の大きな特徴の１つとして、映像データや音声データやテキスト等をオブジェクトとして扱うオブジェクト符号化が上げられる。たとえば、背景画像データと背景のない人物の画像データが別々の映像オブジェクトとして符号化され、別々のオブジェクト符号化データとしてＭＰＥＧ４ストリームにマルチプレクスされる。そして復号化するときに、ＭＰＥＧ４ストリームからデマルチプレクスで２つのオブジェクト符号化データを取り出して、この２つのオブジェクトを復号化し、それらの映像を合成して１つのシーンとして表現することができる。これら映像オブジェクト以外にも、音声やテキスト等のさまざまなデータを自由自在に組み合わせて１つのシーンを表現できる。さらに、ＭＰＥＧ４では、シーン合成のためのシーン構成情報と合成方法を規定するシーン記述（Ｓｃｒｅｅｎ  Ｄｅｓｃｒｉｐｔｉｏｎ）もオブジェクトの１つとして扱う。
【０００４】
このシーン記述のためのフォーマットには、ＶＲＭＬ（Ｖｉｒｔｕａｌ  Ｒｅａｌｉｔｙ  Ｍｏｄｅｌｉｎｇ  Ｌａｎｇｕａｇｅ）を基にしたＢｌＦＳ（Ｂｉｎａｒｙ  Ｆｏｒｍａｔ  ｆｏｒ  Ｓｃｅｎｅｓ）と、ＡＡＶＳ（Ａｄａｐｔｉｃ  Ａｕｄｉｏ‐Ｖｉｓｕａｌ  Ｓｅｓｓｉｏｎ  Ｆｏｒｍａｔ）の２つがＭＰＥＧ４で標準化されつつある。さらにＭＰＥＧ４では、シーン記述をＭＰＥＧ４ストリームを復号化する端末が動的に変更することも可能であり、またＭＰＥＧ４ストリームを配信する端末にメッセージを送り、インターラクティブにシーン記述アップデートすることもできる。このＭＰＥＧ４の特徴は日経ＢＰ社刊行の「日経エレクトロニクス１９９７．９．２２Ｎｏ．６９９」ｐ１４７・ｐ１６８に詳述されている。
【０００５】
【発明が解決しようとする課題】
前記したとおり、ＭＰＥＧ４では映像ストリームのシーン記述を復号時に変更することができる。しかし、ＭＰＥＧ４の映像ストリームを不特定多数の端末に放送することを考えた場合、シーン記述を変更するユーザインターフェースをすべての端末が持つことはユーザインタフェースが複雑になり端末のコストが高くなるという問題がある。また、シーン記述をユーザの自由に編集することによって著作権者の意図に沿わない映像が容易に作ることができるという問題がある。よって本発明の課題は、シーン記述を含む映像ストリームを扱う送受信システムにおいて映像ストリームの発信者が許す範囲で好みの映像を容易に選択できる映像ストリーム送受信システムを提供することにある。また、最近では番組のペアレンツコントロールの必要性が問題になってきている。これまで米国ではＴＶ番組の番組表などに、そのＴＶに暴力シーン等の教育上よくないシーンがあることを明確にし、それによって親が子どもの番組の視聴をコントロールしてきた。
【０００６】
しかし、親がその場にいない場合はコントロールができないという問題があった。そこで、送られてきた映像ストリームに、たとえば教育上の問題で子供には見せたくないシーンが含まれる場合に容易にペアレンツコントロールができる映像ストリーム送受信システムを提供することにある。さらに、任意のシーン記述を選択した場合に課金することや視聴のカウントができるようにするためにシーン記述の選択を許可するための手段を備えた映像ストリーム送受信システムを提供する。
【０００７】
【課題を解決するための手段】
本発明の課題を解決するために、１つ以上の画像または音声をオブジェクト符号化したデータと、シーンの内容をオブジェクト符号化したデータで表現した１つ以上のシーン記述を含む映像ストリームを復号化するために、少なくとも映像ストリームをデマルチプレクスする手段と、画像をオブジェクト符号化したデータを復号化する手段と、音声をオブジェクト符号化したデータを復号化する手段と、画像を合成する手段と、音声を合成する手段と、シーン記述を解析する手段を備えた映像ストリーム復号装置において、前記映像ストリーム復号装置に入力される映像ストリームに少なくとも２つ以上シーン記述が含まれており、そのシーン記述のうちどれか１つをセレクトする手段とユーザがシーン記述を選択するためのユーザ入力手段を備える。また、本発明ではシーン記述の選択に必要な通信をおこなうための通信手段を備える。
【０００８】
【発明の実施の形態】
以下、本発明の実施形態を図面を参照しつつ説明する。以下、シーン記述とオブジェクト符号化の特徴を持つ映像ストリームの例としてＭＰＥＧ４を用いて説明する。また、以下の実施形態ではオブジェクト符号化されたマルチプレクスされる前の各々ストリームをＥＳ（エレメンタリーストリーム）と呼ぶものとする。ＥＳには、シーン記述、Ｖｉｓｕａｌ、Ａｕｄｉｏ等の各々ストリームを示す。ここで、Ｖｉｓｕａｌとは動画を含む目に見えるオブジェクトを示しており、動画以外に、静止画、ＣＧ、３Ｄ、テキスト、アニメーション等がある。また、ＭＰＥＧ１、ＭＰＥＧ２、Ｈ．２６１、Ｈ．２６３等の動画像やＪＰＥＧ等の静止画像もＶｉｓｕａｌに含めることができる。
【０００９】
本発明の映像ストリーム送受信システムの第一の実施形態を、図１、２、３、４、５を用いて説明する。図２において、２０１は少なくとも１つ以上のＶｉｓｕａｌまたはＡｕｄｉｏのオブジェクト符号化データとシーン記述を含む映像ストリームを配信する、既存の放送局またはインターネット放送のサーバ等に相当する映像ストリーム送信装置、２０２は地上波電波網、衛星ディジタル放送やインターネット等のディジタルの映像ストリームを伝送できる伝送網、２０３は２０２の伝送網で送られる映像ストリームを受信できるアンテナやモデム等の映像ストリーム受信装置、２０４は映像ストリームをシーン記述をもとに復号化する映像ストリーム復号装置、２０５は映像ストリーム復号装置２０４で復号化した映像ストリームを再生するＰＣのモニタやテレビ等の再生装置を表わしている。
【００１０】
以下、この図２について説明する。映像ストリーム送信装置２０１では、１つ以上のＶｉｓｕａｌのＥＳまたはＡｕｄｉｏのＥＳと１つ以上のシーン記述のＥＳが含まれたＭＰＥＧ４の映像ストリームを配信する。これらのＥＳにはすべてユニークなオブジェクト番号が振られており、そのストリームが有効な間は常に同じオブジェクト番号がそのストリームに振られ、一意に認識できるものとする。この映像ストリームは任意のＭＰＥＧ４エンコーダによって作ることができる。
【００１１】
このとき、シーン記述と他のＥＳとの関連を記述等を含む制御情報を同時に発信してもよい。その制御情報は、ＭＰＥＧ４の映像ストリームと同様に発信されても、または映像ストリームとは別のチャネルで発信されても良い。もし、制御情報が発信されないときは、シーン記述と他のＥＳとの関係は映像ストリームの送受システム内で暗黙の制御情報をもつものとする。伝達網２０２では、映像ストリーム発信装置２０１から発信された映像ストリームを映像ストリーム受信装置２０３へ伝達する。この伝達方法は、地上放送、衛星放送、インターネット、電話回線等のいかなる手段でもよい。映像ストリーム受信装置２０３では、映像ストリーム発信装置２０１が発信した映像ストリームを伝達網２０２を介して受信し、受信した映像ストリームを映像ストリーム復号装置２０４へ転送する。
【００１２】
映像ストリーム復号装置２０４では、映像ストリームを復号化し、映像データと音声データを得る。この時、映像ストリーム復号装置２０４では、映像ストリームに含まれるシーン記述をもとに映像ストリームの復号化が行われる。ざらに本発明では、このシーン記述が選択ができる場合は、ユーザが選択でき、その選択したシーン記述によって復号化する。詳細な処理内容については後述する。再生装置２０５では映像ストリーム復号装置２０４で復号化された映像データ、音声データを再生する。
【００１３】
次に図１を用いて映像ストリーム復号装置２０４の詳細な動作について説明する。図１は映像ストリーム復号装置の構成の一例である。図１において、１０１は映像ストリームのデマルチプレクスしてＶｉｓｕａｌやＡｕｄｉｏやシーン記述等の各ＥＳに分離するＤＥＭＵＸ部、１０２、１０３はＶｉｓｕａｌのＥＳを復号化し、映像データを作るＶｉｓｕａｌ復号部、１０４、１０５はＡｕｄｉｏのＥＳを復号化し、音声データを作るＡｕｄｉｏ復号部、１０６はシーン記述の選択を行うセレクタ部、１０７はシーン記述の解析を行うシーン記述解析部、１０９はリモコンやボタン、キーボード等のユーザ入力部、１１０はシーン記述に基づいて画像データの合成を行うＶｉｓｕａｌ合成部、１１１はシーン記述に基づいて音声データの合成を行うＡｕｄｉｏ合成部を表わしており、これらのすべての制御は制御部１０８が行う。この構成例では、Ｖｉｓｕａｌ復号部とＡｕｄｉｏ復号部がそれぞれ２つのみであるが、さらに多くの復号部を持っていてもかまわない。また、１つの復号部が複数のＥＳを処理できる場合は１つのみでもよい。また制御部１０８は、ユーザに情報を表示するときはに、映像ストリーム復号装置２０４が液晶やＬＥＤ等の表示部をもつ場合にはそれらに、また持たない場合は映像データとして再生装置２０５で表示することができるものとする。以下、映像ストリーム復号装置の処理の流れを説明する。
【００１４】
まず、ＤＥＭＵＸ部１０１では入力された映像ストリームから、ＶｉｓｕａｌとＡｕｄｉｏとシーン記述のＥＳをデマルチプレクスして各ＥＳに分離する。それら分離したＥＳにはそれぞれユニークなオブジェクト番号が振られており、同じオブジェクト番号のＥＳが有効な間は同じ復号部で復号化するように制御する。たとえば、オブジェクト番号０の動画データはＶｉｓｕａ１復号部１０２で、オブジェクト番号１の動画データはＶｉｓｕａ１復号部１０３で復号化すると一意に決められる。これらの制御は映像ストリーム送信装置２０１から送られて来る制御情報に従って制御部１０８で行わる。この制御情報は映像ストリームに含まれて送られてきても、または別チャネルで送られてきてもよい。
【００１５】
いっしょに送られてきた場合はＤＥＭＵＸ部１０１から制御部１０８へ渡される。またＤＥＭＵＸ部１０１では、シーン記述のＥＳがある場合は、セレクタ部１０６に出力するが、オブジェクト番号が異なるＥＳの場合は、別々にセレクタ部１０６へ出力される。もし、映像ストリームに１つ以上のシーン記述がある場合は、ユーザはユーザ入力部１０９を用いてシーン記述を選択することができる。ユーザが選択した情報は、制御部１０８で認識され、セレクタ部１０６に入力されるシーン記述を選択する。選択されたシーン記述はシーン記述解析部１０７で解析され、Ｖｉｓｕａｌ合成やＡｕｄｉｏ合成に必要な制御情報をそれぞれＶｉｓｕａｌ合成部１１０、Ａｕｄｉｏ合成部１１１へ出す。もし、選択されたシーン記述のなかで使われていないＥＳに関しては制御部１０８が、そのＥＳを復号化する復号部に復号化を行わない制御行っても良い。Ｖｉｓｕａｌ復号部１０２、１０３とＡｕｄｉｏ復号部１０４、１０５は制御部１０８の制御によって復号化をおこなう。Ｖｉｄｅｏ合成部１１０、Ａｕｄｉｏ合成部１１１では、シーン記述による制御情報によって合成が行われる。もし、そのシーン記述に含まれる各Ｖｉｄｅｏ、ＡｕｄｉｏのＥＳが１つしかない場合は、合成は行われず、そのまま出力される。
【００１６】
本発明では、シーン記述がないというのも１つのシーン記述とする。シーン記述がない場合は、たとえば、最もオブジェクト番号の低いＶｉｓｕａｌのＥＳとＡｕｄｉｏのＥＳを再生するというようなシステム内の暗黙の決まりをシーン記述とすることができる。また、本発明において、タイムスタンプが各Ｖｉｓｕａｌ、Ａｕｄｉｏ、シーン記述のＥＳに含まれており、それぞれのデコーダはそのタイムスタンプに合わせてデコードするためにバッファを持ち、Ｖｉｓｕａｌ合成部、Ａｕｄｉｏ合成部ではそのタイムスタンプが合ったものを合成するものとする。タイムスタンプの開始時間は各ＥＳとも同じ基準時間から始まっているのが望ましい。図３に第一の実施形態の映像ストリーム送受信システムにおける、映像ストリームの例を示す。
【００１７】
図３において３０１と３０２はシーン記述である。いま、シーン記述３０１、３０２が同じ映像ストリームで別々のＥＳで入っているとする。そして、たとえばオブジェクト番号０のＶｉｓｕａｌ  ＥＳ３０３とオブジェクト番号１のＶｉｓｕａｌ  ＥＳ３０４が同じ映像ストリームが入っていた時は、シーン記述３０１の場合に再生装置２０４に表示される画像は再生画像３０５のようにＶｉｓｕａｌＥＳ３０３の画像だけになり、シーン記述３０２の場合は、ＶｉｓｕａｌＥＳ３０３とＶｉｓｕａｌ  ＥＳ３０４のイメージを合成した再生画像３０６のような合成イメージを再生することができる。
【００１８】
また、この例のようにシーン記述が２つ以上ある場合は、制御部１０８が図４のようにシーン記述が２つ以上あることを再生装置２０５に表示し、シーン記述の選択をユーザに促してもよい。この表示に促されて、ユーザはリモコンなどの入力部１０９からシーン記述を選択することができる。・また、あらかじめ画像の一部が表示していないようなオブジェクト番号０のＶｉｓｕａｌ  ＥＳ３０７とその表示していない箇所の画像を表わしたオブジェクト番号１のＶｉｓｕａｌＥＳ３０８のような場合も同じようにできる。しかし、たとえばシーン記述２の画像の内容が暴力的シーン等で教育上よくないような映像であるばあいはデフォルトではシーン記述３０１の再生画像３０９が得られるようになっており、図４の４０１のような選択画面によってシーン記述３０２を選ぶと図５の５０１のようなパスワードの入力画像がでてきてもよい。
【００１９】
このバスワードが正しく入力されなければシーン記述３０２の再生画像３１０が得られないため、バスワードの知らないユーザに教育上悪いシーンの鑑賞を防ぐことができる。このパスワードは映像ストリーム復号装置２０４の管理者が個別に入力したパスワードでも、マシン固有がもつパスワードでもよい。本発明において、シーン記述が２つ以上ある場合は、システム内の暗黙の決まりによって、デフォルトのシーン記述があり、なにも選択されない場合は、そのデフォルトのシーン記述で合成された再生画像を得ることができるとする。デフォルトのシーン記述とはたとえば、オブジェクト番号が最も小さいＥＳのシーン記述とすることができる。
【００２０】
次に本発明の映像ストリーム送受信システムの第二の実施形態を、図６、７を用いて説明する。図６において、６０１は通信機能を有する映像ストリーム復号装置、６０２はインターネットや電話回線等の通信網、６０３は映像ストリーム復号装置６０１と情報を送受信するための情報送受信装置、他の符号は図２と同じ符号ものに関しては第一の実施形態で説明したものと同じであり、ここではとくに説明をしない限り同じ働きをするとする。本実施形態では、映像ストリーム復号装置６０１は、通信機能を有する。この映像ストリーム復号装置６０１では１つ以上のシーン記述を含む映像ストリームをデコードするときに、制御情報にしたがって、情報送受信装置６０３と通信が必要な場合は、通信網６０２を介して通信をおこなう。通信が必要な場合とは、たとえば、あるシーン記述を選択したときにそのユーザがそのシーン記述を選択したことを映像ストリームの発進放送局でカウントする場合とか、またたとえば、そのシーン記述を選択したときに課金が発生するときに行われる。
【００２１】
また、たとえば入力される映像ストリームのシーン記述の１つは確認無しで復号できるが、それ以外のシーン記述で復号するときは確認が必要になるとなってもよい。その場合は、確認が必要ないシーン記述がデフォルトのシーン記述となっていることが望ましい。また、たとえばすべてのシーン記述が確認が必要であってもよい。映像ストリーム復号装置６０１は装置自身にユニークな識別番号をもち、通信を行うときこの識別番号を用いる。情報送受信装置６０３はこの識別番号をもとに、ユーザを特定しカウントしたり課金をしてもよい。図７は、通信機能を有する映像ストリーム復号装置を示している。
【００２２】
図７において７０１はモデム等の通信部で、他の符号は図１の同じ符号のものと同様な役割をはたす。ユーザ入力部１０９でシーン記述の選択が入力されたときに、制御部１０８は制御情報に従って、もし通信が必要な場合は、通信部７０１で所定の通信を行って成功した場合にシーン記述選択の制御をセレクタ部１０６へ出す。またたとえば、シーン記述が選択されたときにすぐには通信をおこなわずとりあえずシーン記述選択を実行し、通信のための情報を記憶しておきあとから通信をおこなってもよい。本発明において、伝達網２０２と通信網６０２が双方向通信可能な同一通信網であった場合、たとえばインターネットや電話回線などであった時は、図６の映像ストリーム受信装置２０３と図７の通信部７０１が同一部であってもよい。
【００２３】
次に、本発明の映像ストリーム送受信システムの第三の実施形態を、図８を用いて説明する。図８において、８０１はＤＶＤやＣＤ‐ＲＯＭ等の記憶媒体に記憶されたデータを再生できる記憶媒体再生装置、他の符号は図２、図６と同じ符号ものに関しては第一、第二の実施形態で説明したものと同じであり、ここではとくに説明をしない限り同じ働きをするとする。記憶媒体再生装置８０１では、少なくとも１つ以上のＶｉｓｕａｌまたはＡｕｄｄｉｏのオブジェクト符号化データとシーン記述を含む映像ストリームを記憶した記憶媒体を再生し、映像ストリームを出力する。その映像ストリームを映像ストリーム復号装置６０１が復号化し、再生装置２０５で再生することができる。また、シーン記述が２つ以上あった場合は、第一の実施形態と同様に選択して再生することができる。また、シーン記述の選択した場合に通信が必要な場合は第二の実施形態と同様に情報送受信装置６０３と通信して成功した場合にシーン記述の選択が可能となる。
【００２４】
また本発明では、映像ストリーム復号装置２０４または６０１が、ＣＰＵ、メモリ、バスを持つ一般的なコンビュータでこれまで説明した機能をすべてソフトウェアとして実現してもよい。
【００２５】
【発明の効果】
本発明によれば、シーン記述を含む映像ストリームを扱う送受信システムにおいて映像ストリームの発信者が許す範囲で好みの映像を容易に選択できる映像ストリーム送受信システムを実現できる。また、送られてきた映像ストリームに、たとえば教育上の問題で子供には見せたくないシーンが含まれる場合に容易にペアレンツコントロールができる。さらに、任意のシーン記述を選択した場合に課金することや視聴のカウントができる。
【図面の簡単な説明】
【図１】映像ストリーム復号装置構成例。
【図２】第一の実施形態のシステム構成例。
【図３】シーン記述選択の例。
【図４】シーン記述選択画面例。
【図５】パスワード入力画面例。
【図６】第二の実施形態のシステム構成例。
【図７】映像ストリーム復号装置構成例。
【図８】第三の実施形態のシステム構成例。
【符号の説明】
１０１…ＤＥＭＵＸ部、１０２、１０３…Ｖｉｓｕａｌ復号部、１０４、１０５…Ａｕｄｉｏ復号部、１０６…セレクタ部、１０７…シーン記述解析部、１０８…制御部、１０９…ユーザ入力部、１１０…Ｖｉｓｕａｌ合成部、１１１…Ａｕｄｉｏ合成部、２０１…映像ストリーム送信装置、２０２…伝達網、２０３…映像ストリーム受信装置、２０４…映像ストリーム復号装置、２０５…再生装置、３０１、３０２…シーン記述３０３、３０７…オブジェクト番号０のＶｉｓｕａｌ  ＥＳの例、３０４、３０８…オブジェクト番号１のＶｉｓｕａｌ  ＥＳの例、３０５、３０６、３０９、３１０…再生画像例、４０１…シーン記述選択画面５０１、…パスワード入力画面、６０１…映像ストリーム復号装置、６０２…通信網６０３…情報送受信装置、７０１…通信部、８０１…記憶媒体再生装置
【図１】
0003593883.tif 000002
【図２】
0003593883.tif 000003
【図３】
0003593883.tif 000004
【図４】
0003593883.tif 000005
【図５】
0003593883.tif 000006
【図６】
0003593883.tif 000007
【図７】
0003593883.tif 000008
【図８】
0003593883.tif 000009